(57)【要約】【課題】  移動体において、移動体の利用者が保持するＲＦＩＤタグ等、情報を記憶し、外部に送信することができる装置から、その利用者の個体情報を読み取り、この情報を利用して、移動体内部の設備を制御することを目的とする。【解決手段】  ＲＦＩＤタグ１の個体情報記憶部１２には、移動体の利用者に関する個体情報が記憶される。この個体情報はＲＦＩＤタグ１の送信部１１により送信され、移動体内設備制御装置２の受信部２１によって受信される。制御部２４は、この個体情報と設定情報記憶部２２に記憶された設定情報とに基づいて、移動体内部の設備を制御する。【選択図】        図１
2006027439.tif 000002
【特許請求の範囲】
【請求項１】
個体を運搬する移動体内部に設置された移動体内設備を制御する移動体内設備制御装置において、
移動体により運搬される個体に保持され当該個体に関する個体情報を記憶する個体情報記憶装置が送信した個体情報を受信する受信部と、
前記移動体内設備の動作を前記受信部が受信した個体情報の内容に応じて設定する設定情報を記憶する設定情報記憶部と、
前記受信部が受信した個体情報に対応する前記設定情報記憶部に記憶された設定情報に従って前記移動体内設備を制御する制御部とを備えることを特徴とする移動体内設備制御装置。
【請求項２】
前記移動体内設備制御装置は、さらに、
設定情報を入力し、入力された設定情報を前記設定情報記憶部に格納する入力部を備えることを特徴とする請求項１に記載の移動体内設備制御装置。
【請求項３】
前記個体は、前記移動体の利用者であり、
前記移動体内設備制御装置は、さらに、
前記移動体内設備に対する前記利用者の操作を入力する操作部を備え、
前記操作部の入力の履歴情報を記憶する操作履歴記憶部と、
前記操作履歴記憶部に記憶された履歴情報の内容に応じて前記設定情報記憶部に記憶された設定情報を変更する設定学習部とを備えることを特徴とする請求項１又は２に記載の移動体内設備制御装置。
【請求項４】
前記個体情報記憶装置は、無線識別（Ｒａｄｉｏ  Ｆｒｅｑｕｅｎｃｙ  Ｉｄｅｎｔｉｆｉｃａｔｉｏｎ，ＲＦＩＤ）タグであり、
前記移動体内設備制御装置は、
少なくとも前記受信部を含む一部がＲＦＩＤリーダであることを特徴とする請求項１から３いずれかに記載の移動体内設備制御装置。
【請求項５】
前記制御部は、
移動体内設備として、ナビゲーション装置を制御することを特徴とする請求項１から４いずれかに記載の移動体内設備制御装置。
【請求項６】
前記制御部は、
移動体内設備として、音楽を再生する音楽再生機器を制御することを特徴とする請求項１から４いずれかに記載の移動体内設備制御装置。
【請求項７】
前記制御部は、
移動体内設備として、一つ以上の送風口を有する空調設備を制御することを特徴とする請求項１から４いずれかに記載の移動体内設備制御装置。
【請求項８】
前記制御部は、
移動体内設備として、電動シートを制御することを特徴とする請求項１から４いずれかに記載の移動体内設備制御装置。
【請求項９】
前記移動体内設備制御装置は、さらに、
前記移動体内部における前記個体の位置を認識する位置認識部を備え、
前記制御部は、
前記受信部が受信した個体情報の内容に加え、前記位置認識部が認識した前記個体の位置に応じて前記移動体内設備を制御することを特徴とする請求項１から８いずれかに記載の移動体内設備制御装置。
【請求項１０】
前記制御部は、
移動体内設備として、一つ以上の送風口を有する空調設備の設定温度を調節し、前記受信部が受信した個体情報の内容と前記位置認識部が認識した前記個体の位置とに応じて当該空調設備の各送風口の風量及び風向を設定することを特徴とする請求項９に記載の移動体内設備制御装置。
【請求項１１】
前記制御部は、
移動体内設備として、電動シートの位置及び形態を、前記受信部が受信した個体情報の内容と前記位置認識部が認識した前記個体の位置とに応じて調節することを特徴とする請求項９に記載の移動体内設備制御装置。
【請求項１２】
前記移動体は、自動車であることを特徴とする請求項１から１１いずれかに記載の移動体内設備制御装置。
【請求項１３】
請求項１から１１いずれかに記載の移動体内設備制御装置を具備する移動体。
【請求項１４】
個体に関する個体情報を記憶する個体情報記憶装置において、
移動体により運搬される個体に関する個体情報を記憶する個体情報記憶部と、
前記移動体に備え付けられ前記個体情報を用いて前記移動体の移動体内設備を制御する移動体内設備制御装置に、前記個体情報記憶部に記憶された個体情報を送信する送信部とを備えることを特徴とする個体情報記憶装置。
【請求項１５】
個体を運搬する移動体内部に設置された移動体内設備を制御する移動体内設備制御方法において、
移動体により運搬される個体に保持され当該個体に関する個体情報を記憶する個体情報記憶装置が送信した個体情報を受信する受信ステップと、
前記移動体内設備の動作を前記受信ステップで受信した個体情報の内容に応じて設定する設定情報を記憶する設定情報記憶ステップと、
前記受信ステップで受信した個体情報に対応する前記設定情報記憶ステップで記憶された設定情報に従って前記移動体内設備を制御する制御ステップとを備えることを特徴とする移動体内設備制御方法。
【請求項１６】
個体を運搬する移動体内部に設置された移動体内設備を制御する移動体内設備制御システムにおいて、
移動体により運搬される個体に保持され、当該個体に関する個体情報を記憶する個体情報記憶装置と、
前記移動体に備え付けられ、前記個体情報記憶装置に記憶された個体情報を用いて前記移動体の移動体内設備を制御する移動体内設備制御装置とを備え、
前記個体情報記憶装置は、
個体情報を記憶する個体情報記憶部と、
前記個体情報記憶部に記憶された個体情報を送信する送信部とを備え、
前記移動体内設備制御装置は、
前記送信部が送信した個体情報を受信する受信部と、
前記移動体内設備の動作を前記受信部が受信した個体情報の内容に応じて設定する設定情報を記憶する設定情報記憶部と、
前記受信部が受信した個体情報に対応する前記設定情報記憶部に記憶された設定情報に従って前記移動体内設備を制御する制御部とを備えることを特徴とする移動体内設備制御システム。
【発明の詳細な説明】
【技術分野】
【０００１】
本発明は、移動体内設備制御装置、移動体、個体情報記憶装置、移動体内設備制御方法及び移動体内設備制御システムに関するものである。
【背景技術】
【０００２】
特許文献１に示すように、無線識別（Ｒａｄｉｏ  Ｆｒｅｑｕｅｎｃｙ  Ｉｄｅｎｔｉｆｉｃａｔｉｏｎ，ＲＦＩＤ）タグを用いて、無免許の者が不正に自動車、船舶、飛行機等の移動体の運転を行うこと、免許で許可された大きさや種類以外の移動体を運転すること、免許で許可された範囲外の区域や海域を走行すること等を防止する免許システムが公知である。ここで、ＲＦＩＤタグは、ＩＣ（集積回路）タグ、電子タグともいう。
【０００３】
上記の免許システムにおいて、運転者は、免許証等に備え付けられた非接触型ＩＣタグを保持する。非接触型ＩＣタグには、免許の種類を特定する情報や、各免許の種類に対応して許可された様々な条件等の情報が記録されている。一方、運転者が運転しようとする移動体には、運転者が保持する非接触型ＩＣタグと通信を行う装置が備え付けられている。この装置は、運転者の非接触型ＩＣタグから受信した情報と、自身が記憶している運転を許可する条件等に関する情報とを照合し、運転者に運転を許可してよいかどうかを判定する。運転を許可する場合は、エンジン等、移動体の動力装置に対して始動する許可信号を送り、許可しない場合は、その許可信号を送らない。このように、上記の免許システムでは、運転者が保持するＲＦＩＤタグから読み取った情報を基に、移動体の動力装置を制御している。
【特許文献１】特開２００１−２９１０７３公報
【発明の開示】
【発明が解決しようとする課題】
【０００４】
上記の免許システムでは、ＲＦＩＤタグから読み取られた情報が利用されるのは、自動車の走行や船舶の運行といった移動体の移動に直接係る装置の制御時に限られている。また、この免許システムでは、運転者や免許を持つ者のみが保持するＲＦＩＤタグから情報が読み取られ、利用される。
【０００５】
本発明は、自動車、船舶、飛行機、電車といった移動体において、移動体の利用者が保持するＲＦＩＤタグ等、情報を記憶し、外部に送信することができる装置から、その利用者の個体情報を読み取り、この情報を利用して、空調設備、ナビゲーション装置、ＡＶ（オーディオビジュアル）機器等、移動体内部の設備を制御することを目的とする。また、本発明は、移動者の利用者のうち、運転者以外の者も対象に含み、各利用者に対して個別の処理を行うことを目的とする。
【課題を解決するための手段】
【０００６】
本発明の移動体内設備制御システムは、
移動体により運搬される個体に保持され、当該利用者に関する個体情報を記憶する個体情報記憶装置と、
前記移動体に備え付けられ、前記個体情報記憶装置に記憶された個体情報を用いて前記移動体の移動体内設備を制御する移動体内設備制御装置とを備え、
前記個体情報記憶装置は、
個体情報を記憶する個体情報記憶部と、
前記個体情報記憶部に記憶された個体情報を送信する送信部とを備え、
前記移動体内設備制御装置は、
前記送信部が送信した個体情報を受信する受信部と、
前記移動体内設備の動作を前記受信部が受信した個体情報の内容に応じて設定する設定情報を記憶する設定情報記憶部と、
前記受信部が受信した個体情報に対応する前記設定情報記憶部に記憶された設定情報に従って前記移動体内設備を制御する制御部とを備えることを特徴とする。
【発明の効果】
【０００７】
本発明により、自動車、船舶、飛行機、電車といった移動体において、移動体の利用者が保持するＲＦＩＤタグ等、情報を記憶し、外部に送信することができる装置から、その利用者の個体情報を読み取り、この情報を利用して、空調設備、ナビゲーション装置、ＡＶ機器等、移動体内部の設備を制御することができる。また、本発明では、移動者の利用者のうち、運転者以外の者も対象に含み、各利用者に対して個別の処理を行うことができる。
【発明を実施するための最良の形態】
【０００８】
以下、本発明の実施の形態を図に基づいて説明する。なお、下記実施の形態１から実施の形態５までは、各実施の形態に係る個体情報記憶装置としてＲＦＩＤタグ、移動体内設備制御装置の受信部を含む部位としてＲＦＩＤリーダを例に説明するが、その他の無線通信インタフェースを備えた装置にも適用可能である。
【０００９】
また、下記実施の形態１から実施の形態５までは、各実施の形態に係る移動体として自動車を例に説明するが、船舶、飛行機、電車等、他の移動体にも適用可能である。
【００１０】
実施の形態１．
図１は本実施の形態に係る移動体内設備制御システムの構成を示すブロック図である。
【００１１】
ＲＦＩＤタグ１は個体情報記憶装置の例であり、送信部１１と個体情報記憶部１２とから構成される。ＲＦＩＤタグ１は移動体の利用者に保持され、実際にはこの利用者が所持する免許証や身分証といったＩＣカード、自動車や家の鍵、この利用者が身に着ける衣服あるいは衣服のボタン等に備え付けられる。本実施の形態では、利用者Ａ、利用者Ｂ、利用者Ｃの３名の利用者が自動車に乗り、各利用者はＲＦＩＤタグ１を備え付けたＩＣカードを所持することとする。
【００１２】
送信部１１はアンテナとそのアンテナに接続された無線ＩＣチップとを有し、ＲＦＩＤリーダ４から送出される信号を受信し、またＲＦＩＤリーダ４に対して信号を送信する。送信部１１は、ＲＦＩＤリーダ４に対して、個体情報記憶部１２に記憶されたデータを送信することができる。ここで、送信部１１は移動体内部に設置されたＲＦＩＤリーダ４から信号を受信したときのみ信号を送信する、という形態が可能である。これは、ＲＦＩＤタグ１がその電力供給源として電池を有する場合、電力を必要以上に消耗しないようにするという効果も生む。また、個体情報を送信する対象を限定することで、セキュリティの強化にもつながる。
【００１３】
個体情報記憶部１２は不揮発性メモリであり、上記利用者に関する個体情報を記憶する。個体情報とは、この利用者を識別する情報やこの利用者を特徴付ける情報であり、例えば氏名、住所、生年月日、年齢、性別、血液型、任意の識別番号、身長、体重、病歴、趣味等が挙げられる。本実施の形態では、各利用者の個体情報は識別番号、名前、年齢、性別を含むこととし、それぞれの値は図２に示すように設定する。
【００１４】
一方、移動体内設備制御装置２は、自動車に備え付けられる。移動体内設備制御装置２は、受信部２１、設定情報記憶部２２、入力部２３、制御部２４、位置認識部２５から構成される。本実施の形態では、移動体内設備制御装置２は、移動体内設備の例として、自動車内の空調設備３を制御することとする。
【００１５】
本実施の形態において、受信部２１は上記ＲＦＩＤリーダ４に相当する。受信部２１はアンテナとそのアンテナに接続された無線通信回路とを有し、ＲＦＩＤタグ１に対して信号を送信し、またＲＦＩＤタグ１から信号を受信する。
【００１６】
設定情報記憶部２２は不揮発性メモリであり、制御部２４が空調設備３を制御する際に参照する設定情報を記憶する。設定情報とは、個体情報の各項目の値を基に空調設備３の設定を行うための情報であり、例えば、「車内にいる利用者のうち、性別が女である利用者がいる場合、空調温度を２７℃に設定する」といった指示内容を示すデータである。
【００１７】
入力部２３は、空調設備３の操作パネルやカーナビゲーション装置の操作画面等に実装され、上記設定情報の内容を手動で作成又は更新するためのインタフェースを利用者に提供する。入力部２３によって作成又は更新された設定情報は設定情報記憶部２２に格納される。
【００１８】
制御部２４は、ＣＰＵ（Ｃｅｎｔｒａｌ  Ｐｒｏｃｅｓｓｉｎｇ  Ｕｎｉｔ）等に実装され、受信部２１が受信した個体情報を取得し、この個体情報の各項目の値と設定情報記憶部２２に記憶された設定情報とに従って、空調設備３を制御する。空調設備３の制御とは、具体的には空調設備３の運転／停止の選択、温度の調節、風量や風向の設定等である。
【００１９】
位置認識部２５は、各利用者の自動車内における位置を認識する。例えば、受信部２１又は受信部２１のアンテナを座席ごとに複数配置し、ＲＦＩＤタグ１が送信した個体情報をどの座席に設置されたアンテナから受信したかによって、そのＲＦＩＤタグ１を保持する利用者がどの座席に座っているかを認識することができる。あるいは、図３にあるような空調設備３の送風口３１ごとに受信部２１又は受信部２１のアンテナを設置し、各送風口３１から最も近い位置にいる利用者を特定することが可能である。
【００２０】
位置認識部２５は、特定した各利用者の位置を制御部２４に通知する。制御部２４はこの情報を用いて、各送風口３１における風量や風向を、その送風口３１に最も近い利用者に最適と思われる状態に設定する。ここで、設定情報記憶部２２に記憶された設定情報が、「利用者が座っている座席に近い送風口３１から送風し、その他の送風口３１からの送風を停止する」という内容である例を図３に示す。この図において、矢印部分は空調設備３が生成する風を表し、円又は楕円部分は空調設備３の送風口３１を表す。円又は楕円部分にそこを起点とする矢印が描画されていないものは、送風を停止した送風口３１を表している。
【００２１】
図４は、本実施の形態の移動体内設備制御装置２が移動体内設備を制御する手順を示すフローチャートである。
【００２２】
ＲＦＩＤタグ１が個体情報記憶部１２に記憶された個体情報を送信すると、受信部２１はその個体情報を受信する（ステップ１）。
【００２３】
制御部２４は、受信部２１が受信した個体情報を取得し（ステップ２）、個体情報の各項目の値を取り出す。次に、設定情報記憶部２２に記憶された設定情報を取得し（ステップ３）、個体情報から取り出した値が、設定情報記憶部２２に記憶された設定情報の対象となる範囲内であるか確認する（ステップ４）。即ち、空調設備３の制御を行うための条件に当てはまる値が個体情報に含まれるか（ＹＥＳ）否か（ＮＯ）を判断する。ＹＥＳの場合、制御部２４は設定情報の内容に従って空調設備３の運転／停止の選択、温度の調節、風量や風向の設定等を行う（ステップ５）。ＮＯの場合、制御部２４は空調設備３の設定を保持する。
【００２４】
このように、本実施の形態では、自動車等の移動体において、移動体の利用者それぞれの属性に合わせて、利用者による手動の操作を必要とすることなく、空調設備等の移動体内設備を細かく制御することができ、移動体内部の環境を最適化することが可能となる。また、たとえ最適化の度合いが不十分であっても、ＲＦＩＤタグ１が記憶する個体情報や移動体内設備制御装置２が記憶する設定情報を更新することで、移動体内設備の制御方法を調整することが常時可能である。
【００２５】
本実施の形態は、実施の形態に係る個体として移動体の利用者を例に説明したが、牛や馬等の動物、野菜や果物や冷凍品等の食物等、移動体により運搬される他の個体にも適用可能である。例えば、冷凍品の輸送車において、各冷凍品の鮮度を保つため、それぞれの包装にＲＦＩＤタグ１を取り付け、輸送車に移動体内設備制御装置２を設置し、冷凍品ごとに最適な温度設定となるように空調設備３を制御することが可能である。
【００２６】
実施の形態２．
実施の形態１に係る移動体内設備制御装置２は、自動車の利用者が保持するＲＦＩＤタグ１に記憶された各利用者に関する個体情報を読み取り、この個体情報を用いることで、自動車内の空調設備３を各利用者に適した設定にしていた。しかし、実際には、個体情報だけを頼りに各利用者にとって最も適した設定を確実に行うことは難しい。これは、各利用者にとって最適な設定が多種多様な要因を基に決定されるからである。また、その要因を全て解明することも非常に困難である。
【００２７】
このような問題を解決するために、本実施の形態に係る移動体内設備制御装置２は、学習機能を有している。学習機能とは、自動車の利用者が空調設備３の設定を手動で行った場合、その設定内容等を履歴情報として記録し、次に移動体内設備制御装置２の制御部２４が空調設備３を制御する際にこの履歴情報を活用するということである。
【００２８】
図５は本実施の形態に係る移動体内設備制御システムの構成を示すブロック図である。
【００２９】
実施の形態１と同様、ＲＦＩＤタグ１は個体情報記憶装置の例であり、送信部１１と個体情報記憶部１２とから構成される。
【００３０】
一方、移動体内設備制御装置２は、自動車に備え付けられ、受信部２１、設定情報記憶部２２、入力部２３、制御部２４、位置認識部２５に加えて、操作部２６、操作履歴記憶部２７、設定学習部２８から構成される。実施の形態１と同様、本実施の形態でも、移動体内設備制御装置２は、移動体内設備の例として、自動車内の空調設備３を制御することとする。
【００３１】
操作部２６は、空調設備３の操作パネルやカーナビゲーション装置の操作画面等に実装され、空調設備３を手動で制御するためのインタフェースを自動車の利用者に提供する。
【００３２】
操作履歴記憶部２７は、操作部２６を介して利用者が設定した内容を履歴情報として格納する。例えば、図２に示すように、受信部２１が受信した個体情報が、利用者を一意的に特定する識別番号の項目を含むとする。操作履歴記憶部２７は、いつどの利用者がどのような設定を行ったかという操作履歴をこの識別番号と対応させて記憶する。
【００３３】
設定学習部２８は、操作履歴記憶部２７に記憶された履歴情報に基づき、上記の識別番号で特定される利用者に適する空調設備３の設定方法を判断する。そして、この判断結果を基に、設定情報記憶部２２に記憶された設定情報を更新する。具体的には、設定情報に、「車内にいる利用者のうち、性別が女である利用者がいる場合、空調温度を２７℃に設定する」という指示内容が含まれていたとして、女性である利用者Ｂが温度を２３℃に設定する操作を数回行ったとする。そこで、設定学習部２８は設定情報に、「ただし、識別番号が０００２である利用者がいる場合、空調温度を２３℃に設定する」という指示を追加する。
【００３４】
このように、本実施の形態では、自動車等の移動体において、移動体の利用者それぞれの属性に合わせて、空調設備等の移動体内設備を細かく制御するだけでなく、各利用者が移動体内設備を手動で制御した際の情報をフィードバックとして、移動体内部の環境をさらに個々の利用者に適したものにすることが可能となる。
【００３５】
実施の形態３．
移動体内設備の例として、実施の形態１及び２では、空調設備３を用いたが、本実施の形態では、これを図３にあるような電動シート３２とし、その他の構成は同じものとする。ここでいう電動シート３２とは、自動車の座席であって、自動車の利用者がスイッチ等を操作することで、その位置や背もたれの傾き等を電気的に調節できるもののことである。
【００３６】
ＲＦＩＤタグ１の個体情報記憶部１２には、自動車の利用者に関する個体情報が記憶される。この個体情報には、身長や体重等、利用者の身体的特徴を表すデータが含まれる。
【００３７】
上記の個体情報はＲＦＩＤタグ１の送信部１１により送信され、移動体内設備制御装置２の受信部２１によって受信される。
【００３８】
位置認識部２５は、各利用者が自動車内の位置を認識する。例えば、受信部２１又は受信部２１のアンテナを座席ごとに複数配置し、ＲＦＩＤタグ１が送信した個体情報をどの座席に設置されたアンテナから受信したかによって、そのＲＦＩＤタグ１を保持する利用者がどの座席に座っているかを認識することができる。
【００３９】
位置認識部２５は、特定した各利用者の位置を制御部２４に通知する。制御部２４はこの情報と上記の個体情報と設定情報記憶部２２に記憶された設定情報とに基づいて、電動シート３２を制御し、利用者の体形に合わせた座席位置の調整を行う。
【００４０】
操作部２６は、電動シート３２のスイッチ等に実装され、電動シート３２を手動で制御するためのインタフェースを自動車の利用者に提供する。
【００４１】
操作履歴記憶部２７は、操作部２６を介して利用者が設定した内容を履歴情報として格納する。例えば、図２に示すように、受信部２１が受信した個体情報が、利用者を一意的に特定する識別番号の項目を含むとする。操作履歴記憶部２７は、いつどの利用者がどのような設定を行ったかという操作履歴をこの識別番号と対応させて記憶する。
【００４２】
設定学習部２８は、操作履歴記憶部２７に記憶された履歴情報に基づき、上記の識別番号で特定される利用者に適する電動シート３２の設定方法を判断する。そして、この判断結果を基に、設定情報記憶部２２に記憶された設定情報を更新する。具体的には、利用者Ａが自動車に乗る際に、電動シート３２の背もたれを毎回垂直位置に調節していたとする。そこで、設定学習部２８は設定情報に、「識別番号が０００１である利用者が座っている座席の背もたれの傾きは９０度に設定する」という指示を追加する。
【００４３】
このように、本実施の形態では、自動車等の移動体において、移動体の利用者それぞれの属性に合わせて、利用者による手動の操作を必要とすることなく、電動シート３２等の移動体内設備を細かく制御することが可能である。
【００４４】
実施の形態４．
移動体内設備の例として、実施の形態１及び２では、空調設備３を用いたが、本実施の形態では、これをＡＶ機器とし、その他の構成は同じものとする。ここでいうＡＶ機器とは、ラジオ、テレビの放送やその他の無線通信により受信された音楽、映像、あるいは、磁気ディスク装置、ＣＤ（コンパクトディスク）、ＭＤ（ミニディスク）等に記憶された音楽、ＤＶＤ（Ｄｉｇｉｔａｌ  Ｖｅｒｓａｔｉｌｅ  Ｄｉｓｋ）等に記憶された映像等の再生を行う機器のことである。ここで、音楽再生機器や映像再生機器もＡＶ機器の一種と考える。
【００４５】
ＲＦＩＤタグ１の個体情報記憶部１２には、自動車の利用者に関する個体情報が記憶される。この個体情報には、利用者の年齢や、音楽、映画等に関する好みを示すデータが含まれる。
【００４６】
上記の個体情報はＲＦＩＤタグ１の送信部１１により送信され、移動体内設備制御装置２の受信部２１によって受信される。制御部２４は、この個体情報と設定情報記憶部２２に記憶された設定情報とに基づいて、上記のＡＶ機器を制御する。例えば、受信部２１が受信した個体情報から、自動車内の利用者Ａが６０歳の男性だということがわかったとする。ここで、設定情報に６０代の男性に好まれる音楽に関する情報が含まれていた場合、制御部２４はこの情報を基に曲を選択し、ＡＶ機器に再生させる。
【００４７】
このように、本実施の形態では、自動車等の移動体において、移動体の利用者それぞれの属性に合わせて、利用者による手動の操作を必要とすることなく、ＡＶ機器等の移動体内設備を細かく制御することが可能である。上記の例以外にも、自動車内に耳の不自由な利用者がいる場合に、自動的にＡＶ機器の音量を上げる等、様々な形態が実現可能である。
【００４８】
実施の形態５．
移動体内設備の例として、実施の形態１及び２では、空調設備３を用いたが、本実施の形態では、これをカーナビゲーション装置とし、その他の構成は同じものとする。ここでいうカーナビゲーション装置とは、ＬＣＤ（液晶ディスプレイ）等の画面に地図を表示し、ＧＰＳ（全地球測位システム）やジャイロ等を利用して、当該装置を設置した自動車の位置を地図上で確認することができる装置のことである。また、カーナビゲーション装置には、地図上で店舗の情報等の地域情報を閲覧することが可能なものがある。
【００４９】
ＲＦＩＤタグ１の個体情報記憶部１２には、自動車の利用者に関する個体情報が記憶される。この個体情報には、利用者の年齢、趣味、食べ物の好み等を示すデータが含まれる。
【００５０】
上記の個体情報はＲＦＩＤタグ１の送信部１１により送信され、移動体内設備制御装置２の受信部２１によって受信される。制御部２４は、この個体情報と設定情報記憶部２２に記憶された設定情報とに基づいて、上記のカーナビゲーション装置を制御する。例えば、受信部２１が受信した個体情報から、自動車内の利用者Ａは日本食が好きだということがわかったとする。ここで、設定情報に日本食が好きな利用者に推奨する日本料理店の情報が含まれていた場合、制御部２４はこの情報を基に、現在自動車が走行中の地域近辺で推奨される日本料理店に関する店舗情報等をカーナビゲーション装置の画面に表示、あるいは音声で通知する。
【００５１】
このように、本実施の形態では、自動車等の移動体において、移動体の利用者それぞれの属性に合わせて、利用者による手動の操作を必要とすることなく、カーナビゲーション装置等の移動体内設備を制御し、利用者にとって有意な情報を提供することが可能である。
【００５２】
以上のように、移動体内部の設備である移動体内設備の例として、実施の形態１及び２では、空調設備３、実施の形態３では、電動シート３２、実施の形態４では、音楽再生機器や映像再生機器を含むＡＶ機器、実施の形態５では、カーナビゲーション装置を含むナビゲーション装置を用いて、本発明に係る移動体内設備制御装置、移動体、個体情報記憶装置、移動体内設備制御方法及び移動体内設備制御システムについて説明した。
【００５３】
ここでいう「移動体内部」及び「移動体内」とは、移動体内部の空間だけでなく、例えば移動体が自動車であるときの窓等、移動体内部の空間と外部の空間とを隔てる境界を含む。さらに、移動体外部の空間と仕切られていない荷台等の内部を含むこととする。
【００５４】
前述した各実施の形態で、移動体内設備制御装置２は、コンピュータで実現できるものである。
図示していないが、移動体内設備制御装置２は、プログラムを実行するＣＰＵを備えている。
【００５５】
例えば、ＣＰＵは、バスを介して、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、通信ボード、表示装置、Ｋ／Ｂ（キーボード）、マウス、ＦＤＤ（Ｆｌｅｘｉｂｌｅ  Ｄｉｓｋ  Ｄｒｉｖｅ）、ＣＤＤ（コンパクトディスクドライブ）、磁気ディスク装置、光ディスク装置、プリンタ装置、スキャナ装置等と接続されている。
ＲＡＭは、揮発性メモリの一例である。ＲＯＭ、ＦＤＤ、ＣＤＤ、磁気ディスク装置、光ディスク装置は、不揮発性メモリの一例である。これらは、記憶装置あるいは記憶部の一例である。
前述した各実施の形態の移動体内設備制御装置２が扱うデータや情報は、記憶装置あるいは記憶部に保存され、移動体内設備制御装置２の各部により、記録され読み出されるものである。
【００５６】
また、通信ボードは、例えば、ＬＡＮ、インターネット、或いはＩＳＤＮ等のＷＡＮ（ワイドエリアネットワーク）に接続されている。
【００５７】
磁気ディスク装置には、オペレーティングシステム（ＯＳ）、ウィンドウシステム、プログラム群、ファイル群（データベース）が記憶されている。
プログラム群は、ＣＰＵ、ＯＳ、ウィンドウシステムにより実行される。
【００５８】
上記移動体内設備制御装置２の各部は、一部或いはすべてコンピュータで動作可能なプログラムにより構成しても構わない。或いは、ＲＯＭに記憶されたファームウェアで実現されていても構わない。或いは、ソフトウェア或いは、ハードウェア或いは、ソフトウェアとハードウェアとファームウェアとの組み合わせで実施されても構わない。
【００５９】
上記プログラム群には、実施の形態の説明において「〜部」として説明した処理をＣＰＵに実行させるプログラムが記憶される。これらのプログラムは、例えば、Ｃ言語やＨＴＭＬやＳＧＭＬやＸＭＬなどのコンピュータ言語により作成される。
【００６０】
また、上記プログラムは、磁気ディスク装置、ＦＤ（Ｆｌｅｘｉｂｌｅ  Ｄｉｓｋ）、光ディスク、ＣＤ、ＭＤ、ＤＶＤ等のその他の記録媒体に記憶され、ＣＰＵにより読み出され実行される。
【図面の簡単な説明】
【００６１】
【図１】実施の形態１に係る移動体内設備制御システムの構成を示すブロック図。
【図２】実施の形態１に係る移動体の各利用者に関する個体情報を示す表。
【図３】実施の形態１に係る移動体内設備の動作例を示す概念図。
【図４】実施の形態１に係る移動体内設備制御装置の処理手順を示すフローチャート。
【図５】実施の形態２に係る移動体内設備制御システムの構成を示すブロック図。
【符号の説明】
【００６２】
１  ＲＦＩＤタグ、２  移動体内設備制御装置、３  空調設備、４  ＲＦＩＤリーダ、１１  送信部、１２  個体情報記憶部、２１  受信部、２２  設定情報記憶部、２３  入力部、２４  制御部、２５  位置認識部、２６  操作部、２７  操作履歴記憶部、２８  設定学習部、３１  送風口、３２  電動シート。
【図１】
2006027439.tif 000003
【図２】
2006027439.tif 000004
【図３】
2006027439.tif 000005
【図４】
2006027439.tif 000006
【図５】
2006027439.tif 000007